(57)【特許請求の範囲】
【請求項１】
無許可で盗用された際に、尾栓を有する武器を使用不能にするための装置であって、
この装置（１）が、空洞（１３）またはくぼみ、および前記武器のチャンバ（１０２）内にぴったりと嵌合するように設計された前部スリーブ部（１１）を備えると共に、武器の尾栓ボックス（１０１）に挿入されることを意図したエキスパンダ（１０）を有し、
爆発物（４３）が前記エキスパンダ（１０）の前記空洞（１３）またはくぼみ内に配置されることを特徴とする装置。
【請求項２】
前記装置（１）が、前記爆発物（４３）を発火させる起爆部もしくは雷管（３０）または他の何らかの発火デバイス、前記起爆部もしくは雷管（３０）または他の何らかの発火デバイスを駆動する撃針装置（６０）、および前記撃針装置（６０）を駆動する起爆装置（７０）を有することを特徴とする請求項１に記載の装置。
【請求項３】
前記撃針装置（６０）および前記起爆装置（７０）が、前記武器の弾薬庫保持部（１０３）に接続され得るダミー弾薬庫（８０）内に収容されていることを特徴とする請求項２に記載の装置。
【請求項４】
前記装置（１）が、前記爆発物（４３）が充填されると共に前記武器の銃身（１０４）に嵌合する爆発管（４０）、および前記爆発管（４０）の前端にねじ込まれる固定ピン（５０）を有することを特徴とする請求項１から３のいずれか一項に記載の装置。
【請求項５】
前記エキスパンダ（１０）が、前記起爆部もしくは雷管（３０）または他の何らかの発火デバイスを収容するための開口部（２３）を有する端部プラグ（２０）を有することを特徴とする請求項１から４のいずれか一項に記載の装置。
【請求項６】
無許可で盗用された際に、尾栓を有する武器を使用不能にする方法であって、
空洞（１３）またはくぼみ、および前記武器のチャンバ（１０２）内にぴったりと嵌合するように設計された前部スリーブ部（１１）を備えるエキスパンダ（１０）を前記武器の尾栓ボックス（１０１）内に配置し、
前記エキスパンダ（１０）の前記空洞（１３）またはくぼみ内に配置された爆発物（４３）を用いて前記エキスパンダ（１０）を変形させ、警報発生に応答して前記武器を使用不能にすることを特徴とする方法。
【請求項７】
警報発生に応答して、前記爆発物（４３）を駆動させるために、前記爆発物（４３）を発火させる起爆部もしくは雷管（３０）または他の何らかの発火デバイス、前記起爆部もしくは雷管（３０）または他の何らかの発火デバイスを駆動する撃針装置（６０）、および前記撃針装置（６０）を駆動する起爆装置（７０）を用いることを特徴とする請求項６に記載の方法。
【発明の詳細な説明】
【０００１】
本発明は、無許可で盗用された際に武器を使用不能にするためなどの、尾栓を備えた武器に関する装置および方法に関する。
【０００２】
本発明の目的は、武器が無許可で取り扱われる場合に武器を破壊する装置および方法を提供することである。本目的は、請求の範囲に記載される特徴を有する装置および方法によって成し遂げられる。
【０００３】
本発明の装置は、武器を破損させ、その修理を非常に困難かつ複雑にすることにより、このような武器の盗難防止に役立つ。
【０００４】
本発明の装置は、武器を破壊するようにこの装置を駆動させる警報信号を発生する多くの様々なタイプの警報システムおよびデバイスと組み合わせることが可能である。
【０００５】
本発明の装置は、技術的および経済的利点を有する。
【０００６】
以下、本発明を例示的な実施形態および添付の図面を参照しながらさらに詳細に説明する。ここで、図１は本発明の装置を備えた武器の概略図、図２は装置の拡大概略図、図３は装置の分解概略図である。
【０００７】
本発明の装置１は、武器１００のいわゆる尾栓ボックス１０１の前部に嵌合するように設計されたエキスパンダ１０を有する。エキスパンダ１０は、武器のチャンバ１０２にぴったりと嵌合するように設計された前部スリーブ部１１を有する。エキスパンダ１０はまた、前部スリーブ１１内の空洞１４と連通する空洞１３を有する後部スリーブ１２を有する。前部スリーブ１１は、前部開口部１５を有し、後部スリーブ１２は後部開口部１６を有する。スリーブ１２の後端は、いわゆる起爆部または雷管３０を収容するための半径方向の穴１７を有する。後部スリーブ１２は、外部に配置されたガイドピン１８を備え、ガイドピン１８は、エキスパンダ１０が武器の尾栓ボックス１０１内の目的位置に配置されたときにエキスパンダ１０を正しい回転位置に付勢する。ガイドピン１８は、武器の弾薬庫保持部１０３によって案内され、エキスパンダ１０を武器に挿入し、エキスパンダ１０を武器から除去する際にハンドルとしても作用する。
【０００８】
エキスパンダ１０はまた、スリーブ１２の後部にねじ込まれる端部プラグ２０を有する。端部プラグ２０は、スリーブ１２上の雌ねじ１９とかみ合う雄ねじ２１を有する。端部プラグ２０は、四角いねじ頭２２を有し、ねじ頭２２によってプラグ２０はスリーブ１２にしっかりとねじ込まれることが可能である。端部プラグ２０はまた、穴１７とスリーブ１２内の空洞／空間１３との間を連通させ、起爆部３０を収容するための空気通路２３を有する。必要に応じて、空気通路２３には、爆薬が充填され、十分に有効な爆発が確実に起こるようにする。
【０００９】
本発明の装置１はまた、図１および図２より明らかなように、武器１００の円筒部１０４に嵌合するような形状および寸法を有するいわゆる爆発管（burst tube）４０を有する。爆発管４０は、内側後部空洞４１および内側前部空洞４２を有し、これらにはそれぞれペンチル等の爆発物またはデバイス４３、４４が充填される。爆発管４０内には、例えば、２つの爆発物またはデバイス４３および４４の間を連通させるペンチルヒューズ４５が配置されている。爆発管４０の前端には、固定ピン５０の後端５１上の雄ねじ５２とかみ合う雌ねじ４６が設けられ、これによってピンは爆発管４０にねじ込まれ得る。ピン５０の長さは、本発明の装置が武器１００内に配置されたときに、このピンが円筒部１０４の銃口を越えて突出し、これにより、ピン５０の前端５３が武器および／またはその周囲部材に対して所望の様式で固定されることが可能なように設定されている。
【００１０】
本発明の装置１はまた、衝撃または撃針装置６０を有し、撃針装置６０は、圧縮ばね６２によって後方／無活動位置に保持される撃針６１を有する。撃針装置６０は、電気点火器ワイヤ６４を介して発火デバイス７０と連通する電気駆動装薬６３を有し、発火デバイス７０は、必要に応じて装薬６３を駆動し、それによって撃針６１を起爆部３０に対して駆動し、起爆部３０に装薬／爆発デバイス４３〜４５を発火させる電気信号を送信するように形成されている。
【００１１】
撃針装置６０および起爆手段７０は、好ましくは、ダミー弾薬庫８０に収容され、装置を操作する可能性を最小限にする。
【００１２】
発火デバイス７０は通常、例えば、武器ケース（図示されない）等の形状の保護ハウジング内に設けられた警報回路９０を通してその駆動信号を受信する。固定ピン５０は、ピンが武器ケースまたはバッグ内に回動可能に設けられることを可能にする回動手段５４を有し、ダミー弾薬庫８０はケースまたはバッグ内にしっかりと固定され得る。
【００１３】
本発明の装置１は、以下のように武器１００に嵌合される。
【００１４】
起爆部３０は、スリーブ１１および１２、ならびにスリーブ１２の後部にねじ込まれる端部プラグ２０を有するエキスパンダ１０に嵌合される。次に、エキスパンダ１０およびエキスパンダ１０に取り付けられた起爆部３０は、尾栓ボックス１０１内に配置される。次に、尾栓１０５は、ねじ頭２２と当接され、エキスパンダ１０を定位置に保持し、それによってスリーブ１１は武器のチャンバ１０２に案内される。次に、爆発管４０は、爆発管４０にねじ込まれた固定ピン５０を用いて、武器の円筒部１０４に挿入され、その結果、装薬４３はエキスパンダ１０の内部空間１３内に配置され、装薬４４は武器の円筒部１０４内に配置される。次に、撃針装置６０および起爆部７０が取り付けられたダミー弾薬庫８０は、武器１００に固定され、撃針６１は起爆部３０に近接して配置される。次に、起爆装置７０は、適切な警報回路９０に接続される。図１および図２は、武器１００内に嵌合された本発明の装置１を示す。
【００１５】
警報が、例えば武器を盗もうとしたことに応答して発せられると、警報回路９０は、起爆装置７０を駆動し、電気信号が発生し、装薬６３を駆動し、撃針６１を起爆部３０に対して駆動する。次に、起爆部３０は、装薬／爆発デバイス４３〜４５を発火する。装薬４３によって発生した力は、エキスパンダ１０を変形させ、尾栓ボックス１０１および尾栓の周りの武器パーツを破壊し、一方装薬４４によって発生した力は、円筒部１０４を変形させ、それによって武器１００を使用不能にする。
【００１６】
本発明に従って警報が出された武器を許可された人が除去する際、まず警報が解除され、次に武器は、固定ピン５０およびそれに接続された爆発管４０を武器から除去する前にダミー弾薬庫８０から分離される。次に、エキスパンダ１０およびそれに接続された起爆部または雷管３０は、武器から除去され、その後尾栓１０５は再び前方端位置に配置され得る。
【００１７】
本発明の装置１は取り扱いが非常に安全であることが注目される。これは、装置の構成部分が事故に対して安全に分離されるためであり、また、ダミー弾薬庫８０および発火装置７０、ならびにダミー弾薬庫に接続された撃針装置６０が最初に、他の構成部分を解体する前に武器から除去されるためである。発火装置７０は、ダミー弾薬庫８０内で十分に保護される。例えば、本発明の装置を分解することによって許可なしに警報を解除しようとしても、武器は破壊される。
【００１８】
簡略化された実施形態においては、装薬４４およびペンチルヒューズ４５を省略し、エキスパンダ１０内に装薬４３のみを保持してもよい。この場合、爆発管４０および固定ピン５０を所望に応じて排除し、装薬４３をエキスパンダ１０の空間１３および封止された開口部１５内に直接配置することができる。簡略化された実施形態の場合、装薬４３によって発生した力は、主に尾栓ボックス１０１の前部を変形させる。チャンバ１０２および円筒部１０４の後部もまたある程度変形する。
【００１９】
本発明のさらに簡略化された実施形態では、起爆部または雷管３０、撃針装置６０および起爆装置７０を排除し、通路２３内に直接設けられた電気起爆部を代わりに用いることができる。この場合、警報ループ９０は、ここで言及した電気発火デバイスに接続される。
【００２０】
図示していないが、空気通路２３は、尾栓内の撃針に隣接して開口する小さな補助通路の形状の分岐部を有していてもよい。これにより、エキスパンダ１０内の爆発力の一部が尾栓１０５に方向づけられ、尾栓を破損または破壊する。尾栓への破損は、尾栓を貫通し得る超硬合金針などを補助通路に設けることによって大きくすることができる。補助通路にはまた、別個の装薬を設け、尾栓の破壊をさらに確実にするようにしてもよい。
【００２１】
エキスパンダ１０および爆発管４０は、武器の周囲部分が爆発時に共に融合するように、鋼鉄または他の適切な金属で形成されるのが適当である。勿論、様々なタイプの爆発物が本発明と共に用いられ得る。
【００２２】
言うまでもなく、本発明の装置の設計は、例えば、記載した構成要素の代わりに機能的に同等の構成要素を用いることによって、広範囲に改変可能である。
【００２３】
また、言うまでもなく、本発明は、記載および例示した実施形態に限定されず、変更および改変が先述の請求の範囲内でなされ得る。
【図面の簡単な説明】
【図１】  本発明の装置を備えた武器の概略図である。
【図２】  装置の拡大概略図である。
【図３】  装置の分解概略図である。
【図１】
0004520037.tif 000002
【図２】
0004520037.tif 000003
【図３】
0004520037.tif 000004